(57)【要約】【課題】組電池を構成する単電池の交換を、適正な交換時期にタイムリーに、かつ組電池全体のバランスを考慮して実施することができる蓄電池管理システムを提供する。【解決手段】蓄電池使用者側端末と、蓄電池再生事業者側端末と、ネットワークを介して接続された管理サーバーとにより構成された蓄電池の交換を管理する蓄電池管理システムであって、組電池を構成する全ての単電池情報、点検記録データ、単電池交換要望の在庫照会情報、再生単電池情報等を入力し、管理サーバーが、再生単電池在庫情報の更新、再生単電池履歴及び特性情報の閲覧、単電池履歴及び特性情報の閲覧、組電池としてバランスをとった在庫照会情報の単電池と近似する特性値の再生単電池の検索し一覧表作成、使用中の蓄電池の期待寿命期の予測支援をする蓄電池管理システムを備えることもより課題解決できた。【選択図】      図１
2015007854.tif 000002
【特許請求の範囲】
【請求項１】
蓄電池を使用する蓄電池使用者側端末と、蓄電池を再生する蓄電池再生事業者側端末と、前記蓄電池使用者側端末及び前記蓄電池再生事業者側端末とネットワークを介して接続された管理サーバーと、により構成され、蓄電池の交換を管理する蓄電池管理システムであって、
前記蓄電池使用者側端末は、組電池を構成する全ての単電池履歴及び特性情報、前記単電池の点検記録データ並びに単電池交換要望の在庫照会情報を入力する入力手段と、前記管理サーバーと情報の送受信を行う送受信手段と、表示部とを備え、
前記蓄電池再生事業者側端末は、再生単電池履歴及び特性情報、再生単電池ＩＤコードを含む再生単電池入出庫情報を入力する入力手段と、前記管理サーバーと情報の送受信を行う送受信手段と、表示部とを備え、
前記管理サーバーは、使用者側情報として、使用者ＩＤコード別に、単電池ＩＤコード、単電池履歴及び特性情報、前記単電池の点検記録データ並びに在庫照会情報の記憶手段と、再生事業者側情報として、再生単電池ＩＤコード別に、再生単電池履歴及び特性情報、並びに再生単電池入出庫情報の記憶手段と、蓄電池使用者別及び単電池特性別に設定した、それぞれの特性値に対する近似範囲の記憶手段と、を備え、
前記管理サーバーが、第一に前記蓄電池再生事業者側端末から送信された再生単電池入出庫情報から再生単電池在庫情報を作成及び更新し、第二に前記蓄電池使用者側端末又は蓄電池再生事業者側端末から再生単電池ＩＤコードの入力により前記再生単電池履歴及び特性情報を検索又は閲覧可能に記憶し、第三に前記蓄電池使用者側端末又は蓄電池再生事業者側端末から使用者ＩＤコードや単電池ＩＤコードの入力により前記単電池履歴及び特性情報を検索又は閲覧可能に記憶し、第四に前記蓄電池使用者側端末から受信した在庫照会情報に記憶された単電池の特性であって予め設定した近似範囲内に属する単電池を前記再生単電池履歴及び特性情報から検索して選出して一覧表を作成し記憶し、第五に記憶され蓄積された単電池別の点検記録データから個々の単電池の特性である浮動電圧、端子電圧、起電力、内部抵抗、残存容量及び比重の中から少なくとも１特性以上の特性について特性の値の変化量を時間軸で捉えた特性値変化速度を算出しその結果を記憶し及び／又は該特性の値の変化を時間軸で表した表やグラフを作成し記憶することを特徴とする蓄電池管理システム。
【請求項２】
前記使用者側の単電池履歴及び特性情報が、事業所名、使用者ＩＤコード、単電池ＩＤコード、製造年月日、型式、定格容量、浮動電圧、端子電圧、起電力、内部抵抗、残存容量及び比重を含むことを特徴とする請求項１に記載の蓄電池管理システム。
【請求項３】
前記再生単電池履歴及び特性情報が、再生単電池ＩＤコード、再生年月日、型式、定格容量、浮動電圧、端子電圧、起電力、内部抵抗、残存容量及び比重を含むことを特徴とする請求項１又は２に記載の蓄電池管理システム。
【請求項４】
前記点検記録データが、使用者ＩＤコード、単電池ＩＤコード、点検年月日、事業所名、製造年月日、製造メーカー名、型式、定格容量、浮動電圧、端子電圧、起電力、内部抵抗、残存容量及び比重を含むことを特徴とする請求項１乃至３のいずれかに記載の蓄電池管理システム。
【請求項５】
前記在庫照会情報が、使用者ＩＤコード、並びに、少なくとも、交換する単電池の型式及び定格容量、前記単電池が接続される組電池の浮動電圧、端子電圧、起電力、内部抵抗、残存容量及び比重の中から５つ以上の項目を含むことを特徴とする請求項１乃至４のいずれかに記載の蓄電池管理システム。
【発明の詳細な説明】
【技術分野】
【０００１】
本発明は、蓄電池再生業者と蓄電池使用者とがかかわり合って、フォークリフト等の建設車両（電気車）用電源や非常用電源等の電源として備えている組電池から、離脱させて交換しようとする単電池を単電池の寿命到達時期にタイミングよく効果的に行う蓄電池管理システムに関するものである。
【背景技術】
【０００２】
一般的に、大型スーパー、ホテル、公共施設等に使用される非常用電源や、フォークリフト等の電気車等に使用される電源は、例えば産業用大容量蓄電池で５４セルの直列組電池が使用され、その寿命は７年〜９年とされており期待寿命期がきたときや、組電池としての特性の値の低下が判明すると、組電池を構成する単電池はすべて新品蓄電池と交換され廃棄されている。
【０００３】
また、蓄電池管理システムとしては、特許文献１に、バッテリー管理サーバーと、中古バッテリー供給業者側端末と、再生事業者側端末と、バッテリーユーザー側端末とをネットワークにより連系させ、中古バッテリー属性データ、再生バッテリー属性データ、必要とするバッテリー属性データを備え、バッテリー属性データ記憶手段と、属性データ照合手段と、属性データ伝送手段とを備えるシステムが開示されている。
【先行技術文献】
【特許文献】
【０００４】
【特許文献１】特開２００５−３０２３３７号公報
【発明の概要】
【発明が解決しようとする課題】
【０００５】
しかしながら、一般的に実施されている蓄電池交換を単電池の寿命面からみると、廃棄された組電池を構成する単電池群のうち、劣化し交換時期まで到達したと判断される容量５０％〜８０％（単電池の性能により交換時期は容量の５０〜８０％の範囲内で定まっている。）の単電池は全体の数％を占めているにすぎないという問題があった。
【０００６】
また、特許文献１の請求項４に「バッテリーの属性データが、バッテリーの型式、容量、使用年数等」と記載され、特許文献１の段落［００１８］に「バッテリー属性データとしてバッテリーの履歴が明瞭に記載されている、即ち、中古バッテリーのＩＤ番号をはじめ、バッテリーの型式、使用年数、再生回数、再生バッテリーの試験データ、再生事業者等」と記載されていることから、交換をしようとする際に、主として単電池の履歴に関する情報で投入しようとする単電池を検索している。
【０００７】
したがって、再生した中古バッテリーを設置したときに、新たに設置しようとする単電池の特性の値が既設置の組電池としての特性の値よりも悪かったら直列配置のため新たに投入した単電池の特性の値が組電池全体の特性の値となり交換により組電池の特性の値が低下するという問題があり、また新たに交換して投入しようとする単電池の特性の値が組電池の特性の値よりも良かったら直列配置のため組電池全体の特性の値は組電池の特性の値と同じとなり新たに投入した単電池の特性が活かされないという問題があった。
【０００８】
また、特許文献１の段落［００１８］に「使用中の再生バッテリーに問題が生じた場合、そのバッテリーの履歴をバッテリー管理サーバーに確認することにより、問題の対応が容易に行える・・・」との記載があるが、再生バッテリーの履歴から原因が究明される場合は少ないため、正常化への対応が遅れるという問題があった。
【０００９】
本発明はこうした問題に鑑み創案されたもので、組電池を構成する単電池の交換を、単電池の劣化傾向から適正な交換時期を把握してタイムリーに、かつ組電池全体のバランスを考慮して実施することができる蓄電池管理システムを提供することを課題とする。
【課題を解決するための手段】
【００１０】
本発明において、「単電池」とは一つ一つの蓄電池を意味し、「組電池」とは複数の単電池を直列接続した単電池群からなる、複数の単電池集合体を意味する。
【００１１】
請求項１に記載の蓄電池管理システム１の発明は、蓄電池を使用する蓄電池使用者側端末２と、蓄電池を再生する蓄電池再生事業者側端末３と、前記蓄電池使用者側端末２及び前記蓄電池再生事業者側端末３とネットワーク５を介して接続された管理サーバー４と、により構成され、蓄電池の交換を管理する蓄電池管理システム１であって、
前記蓄電池使用者側端末２は、組電池を構成する全ての単電池履歴及び特性情報、前記単電池の点検記録データ並びに単電池交換要望の在庫照会情報を入力する入力手段と、前記管理サーバー４と情報の送受信を行う送受信手段と、表示部とを備え、
前記蓄電池再生事業者側端末３は、再生単電池履歴及び特性情報、再生単電池ＩＤコードを含む再生単電池入出庫情報を入力する入力手段と、前記管理サーバー４と情報の送受信を行う送受信手段と、表示部とを備え、
前記管理サーバー４は、使用者側情報として、使用者ＩＤコード別に、単電池ＩＤコード、単電池履歴及び特性情報、前記単電池の点検記録データ並びに在庫照会情報の記憶手段と、再生事業者側情報として、再生単電池ＩＤコード別に、再生単電池履歴及び特性情報、並びに再生単電池入出庫情報の記憶手段と、蓄電池使用者別及び単電池特性別に設定した、それぞれの特性値に対する近似範囲の記憶手段と、を備え、
前記管理サーバー４が、第一に前記蓄電池再生事業者側端末３から送信された再生単電池入出庫情報から再生単電池在庫情報を作成及び更新し、第二に前記蓄電池使用者側端末２又は蓄電池再生事業者側端末３から再生単電池ＩＤコードの入力により前記再生単電池履歴及び特性情報を検索又は閲覧可能に記憶し、第三に前記蓄電池使用者側端末２又は蓄電池再生事業者側端末３から使用者ＩＤコードや単電池ＩＤコードの入力により前記単電池履歴及び特性情報を検索又は閲覧可能に記憶し、第四に前記蓄電池使用者側端末２から受信した在庫照会情報に記憶された単電池の特性であって予め設定した近似範囲内に属する単電池を前記再生単電池履歴及び特性情報から検索して選出して一覧表を作成し記憶し、第五に記憶され蓄積された単電池別の点検記録データから個々の単電池の特性である浮動電圧、端子電圧、起電力、内部抵抗、残存容量及び比重の中から少なくとも１特性以上の特性について特性の値の変化量を時間軸で捉えた特性値変化速度を算出しその結果を記憶し及び／又は該特性の値の変化を時間軸で表した表やグラフを作成し記憶することを特徴とする。
【００１２】
請求項２に記載の蓄電池管理システム１の発明は、請求項１において、前記使用者側の単電池履歴及び特性情報が、事業所名、使用者ＩＤコード、単電池ＩＤコード、製造年月日、型式、定格容量、浮動電圧、端子電圧、起電力、内部抵抗、残存容量及び比重を含むことを特徴とする。
【００１３】
請求項３に記載の蓄電池管理システム１の発明は、請求項１又は２において、前記再生単電池履歴及び特性情報が、再生単電池ＩＤコード、再生年月日、型式、定格容量、浮動電圧、端子電圧、起電力、内部抵抗、残存容量及び比重を含むことを特徴とする。
【００１４】
請求項４に記載の蓄電池管理システム１の発明は、請求項１乃至３のいずれかにおいて、前記点検記録データが、使用者ＩＤコード、単電池ＩＤコード、点検年月日、事業所名、製造年月日、製造メーカー名、型式、定格容量、浮動電圧、端子電圧、起電力、内部抵抗、残存容量及び比重を含むことを特徴とする。
【００１５】
請求項５に記載の蓄電池管理システム１の発明は、請求項１乃至４のいずれかにおいて、前記在庫照会情報が、使用者ＩＤコード、並びに、少なくとも、交換する単電池の型式及び定格容量、前記単電池が接続される組電池の浮動電圧、端子電圧、起電力、内部抵抗、残存容量及び比重の中から５つ以上の項目を含むことを特徴とする。
【発明の効果】
【００１６】
請求項１に記載の蓄電池管理システム１の発明は、組電池を構成する単電池の交換を、単電池の特性の値の劣化が進み交換すべき適正なタイミングで、かつ組電池全体に係る特性別レベルに合わせてバランスを考慮した再生単電池と交換することができるという効果を奏する。
【００１７】
請求項２乃至５のいずれかに記載の蓄電池管理システム１の発明は、請求項１に記載の発明と同じ効果を奏するとともに、単電池の特性の変化を蓄電池使用者と蓄電池再生事業者との間で共通認識でき、組電池全体のバランスを崩さず単電池交換ができるという効果を奏する。
【図面の簡単な説明】
【００１８】
【図１】本発明の蓄電池管理システムのネットワーク構成図である。
【図２】本発明の蓄電池管理システムのフロー図である。
【発明を実施するための形態】
【００１９】
本発明に係る蓄電池管理システム１の発明は、大型スーパー、ホテル、公共施設などで非常照明用のバックアップ電源や、フォークリフト等の電気車の電源として使用されている産業用大容量蓄電池で複数の単電池を直列に接続させた組電池を対象とする蓄電池管理システム１であって、図１に示すように、例えば複数の蓄電池使用者の蓄電池使用者側端末２と、蓄電池を再生する単数の蓄電池再生事業者の蓄電池再生事業者側端末３と、前記蓄電池使用者側端末２及び前記蓄電池再生事業者側端末３とネットワーク５を介して接続された管理サーバー４と、により構成される。
【００２０】
そして、前記蓄電池使用者側端末２は、単電池履歴及び特性情報、前記単電池の定期点検などの点検記録データ、及び組電池である単電池群と特性値が近似する再生単電池を求める在庫照会情報を入力する入力手段と、管理サーバー４と情報の送受信を行う送受信手段と、表示部とを備え、前記使用者側単電池履歴及び特性情報が、事業所名、使用者ＩＤコード、単電池ＩＤコード、製造年月日、型式、定格容量、浮動電圧、端子電圧、起電力、内部抵抗、残存容量及び比重を含み、前記点検記録データが、使用者ＩＤコード、単電池ＩＤコード、点検年月日、事業所名、製造年月日、製造メーカー、型式、定格容量、浮動電圧、端子電圧、起電力、内部抵抗、残存容量及び比重を含み、前記在庫照会情報が、使用者ＩＤコード、並びに、少なくとも、交換する単電池の型式及び定格容量、使用中の組電池である単電池群の浮動電圧、端子電圧、起電力、内部抵抗、残存容量及び比重の中から５つ以上の項目を含む。
【００２１】
蓄電池使用者側から、組電池を構成する全ての単電池に関して単電池の履歴及び特性の情報が提供されるので、組電池全体の中での交換したい単電池とはいかなる特性を有する単電池でなければならないかを把握することができることから、交換時に直列に接続された後の組電池全体のバランス、言い換えると既設置の単電池群と投入される単電池との特性の値を近似値にすることができる。
【００２２】
前記近似値の再生蓄電池を選出するために、予め蓄電池使用者と蓄電池再生事業者が話し合って特性ごとに近似範囲を設定し、該近似範囲を管理サーバー４に記憶させておく。例えば、端子電圧なる特性に対して近似範囲を設定する。また、前記近似範囲は蓄電池使用者によって異なる近似範囲を設定することができる。
【００２３】
また、使用中の蓄電池情報、定期点検の点検記録データ及び在庫照会情報には、単電池ＩＤコード、型式、定格容量、浮動電圧、端子電圧、起電力、内部抵抗、残存容量及び比重のデータを共通項目としているので、個々の単電池の特性別の経年変化の把握が可能であることから、交換すべきタイミングに交換することができ、交換したときに組電池全体のバランスを維持させた交換ができる。
【００２４】
次に、前記蓄電池再生事業者側端末３は、在庫のすべての再生単電池ＩＤコード、再生単電池履歴及び特性情報、並びに、再生単電池入出庫情報を入力する入力手段と、前記管理サーバー４と情報の送受信を行う送受信手段と、表示部とを備え、前記再生単電池履歴及び特性情報が、再生単電池ＩＤコード、再生年月日、型式、定格容量、浮動電圧、端子電圧、起電力、内部抵抗、残存容量及び比重を含む。
【００２５】
再生単電池履歴及び特性情報は、使用者側の単電池履歴及び特性情報に含まれる型式、定格容量、浮動電圧、端子電圧、起電力、内部抵抗、残存容量及び比重のデータと同一項目を把握可能にしているので、使用者側からの交換したい再生単電池の特性を検索できることから、使用者側に設置されている組電池全体のバランスを維持しやすくすることができる。
【００２６】
次に、管理サーバー４は、蓄電池使用者側から入力された単電池履歴及び特性情報、点検記録データ及び在庫照会情報の記憶手段と、蓄電池再生事業者側から入力された再生単電池履歴及び特性情報、再生単電池ＩＤコード、並びに、再生単電池入出庫情報の記憶手段と、在庫照会時に使用する、蓄電池使用者別及び単電池特性別に設定したそれぞれの特性値に対する近似範囲の記憶手段とを備える。
【００２７】
管理サーバー４は、第一に、前記蓄電池再生事業者側端末３から送信された、再生単電池履歴及び特性情報を付した再生単電池入庫情報を受信すると、又は、再生単電池コードを付した再生単電池出庫情報を受信すると、再生単電池在庫情報を更新する。
【００２８】
管理サーバー４は、第二に、前記蓄電池使用者側端末２又は蓄電池再生事業者側端末３から再生単電池ＩＤコードの入力により前記再生単電池履歴及び特性情報を検索又は閲覧することができ、第三に、前記蓄電池使用者側端末２又は蓄電池再生事業者側端末３から使用者ＩＤコード及び、単電池ＩＤコードの入力により前記単電池履歴及び特性情報を検索又は閲覧することができるようにしている。
【００２９】
管理サーバー４は、第四に、前記蓄電池使用者側端末２から在庫照会情報が管理サーバー４に送信されてきた場合に、在庫中の前記再生単電池履歴及び特性情報の中から前記在庫照会情報に記載された単電池の特性情報を基準として予め設定した近似範囲内に属する再生単電池を検索して選出して一覧表を作成して記憶する。
【００３０】
このとき在庫照会情報に入力する単電池の情報は、劣化した単電池の特性情報でなく、まだ使用中の組電池に組み込まれている単電池群の特性情報を入力する。例えば、劣化した単電池の端子電圧が１．９０Ｖで、組電池を構成する他の使用中の単電池群の端子電圧が２．３０Ｖの場合は、端子電圧２．３０Ｖと入力する。そして、予め設定した近似範囲内としては、例えば、在庫照会情報に記載された単電池の特性情報を基準として、±０．０２、又は＋０．０１〜−０．０３のように近似範囲を設定しておく。
【００３１】
したがって、使用中の組電池を構成する個々の単電池の特性の値と近似する特性の値を有する在庫中の再生単電池を検索し投入するので、組電池としてのバランスのとれた単電池交換ができる。例えば、使用中の組電池を構成する単電池群の端子電圧が２．２０Ｖであるところに投入する再生単電池の端子電圧が２．３０Ｖであると組電池全体の端子電圧は２．２０Ｖとなり、投入した再生単電池の特性を十分に発揮させていないという問題が生じ、逆に投入する再生単電池の端子電圧が２．１０Ｖであると組電池全体の端子電圧は２．１０Ｖとなり、組電池全体の特性の値を低下させるという問題が生ずる。組電池としてのバランスのとれた交換とは、新たな再生単電池の投入が組電池全体の特性の値の低下をもたらさず、投入した再生単電池の特性を十分に発揮させることができる交換を意味する。
【００３２】
検索により近似範囲内の再生単電池を一覧にした前記一覧表を蓄電池使用者が閲覧して、購入したいと判断した再生単電池を選択し、前記選択した再生単電池の再生単電池ＩＤコードを蓄電池使用者側端末２から蓄電池再生事業者側端末３に対して送信し注文をする。このとき複数の再生単電池を選択して注文することができる。
【００３３】
管理サーバー４は、第五に、記憶され蓄積された単電池別の点検記録データから個々の単電池の特性である浮動電圧、端子電圧、起電力、内部抵抗、残存容量及び比重の中から少なくとも１特性以上の特性について時間軸で特性の値の変化量を捉えて、特性値変化速度を算出しその結果を記憶し、及び／又は、該特性値の変化を時間軸で表した表やグラフを作成して記憶する。
【００３４】
蓄電池使用者及び蓄電池再生事業者は、使用中の単電池の特性値変化状況を把握するために、それぞれの端末から管理サーバー４にアクセスして、特性値変化速度や特性値の変化を時間軸で表した表やグラフを閲覧する。そして、蓄電池使用者及び蓄電池再生事業者は、特性値変化速度、表又はグラフから個々の単電池の特性性能劣化状況を把握して期待寿命期を予測することができる。
【００３５】
例えば、ある単電池の端子電圧の定期点検結果を時系列でみると、ある時期の端子電圧が２．３２Ｖであり、半年後の端子電圧が２．２０Ｖであるとし、交換基準が１．８０Ｖであるとする。すると、特性値変化速度が−０．０２Ｖ／月であるので寿命まで２０ヶ月であると予測できる。そして期待寿命期が近づくと交換するので適切なタイミングで交換することができる。
【００３６】
次に、本発明である蓄電池管理システム１のフローを説明する。まず、準備ステップ１０である。
【００３７】
蓄電池使用者側端末２から、組電池を構成する全ての単電池履歴及び特性情報を入力する。このとき、前記単電池履歴及び特性情報として、事業所名、使用者ＩＤコード、単電池ＩＤコード、製造年月日、型式、定格容量、浮動電圧、端子電圧、起電力、内部抵抗、残存容量及び比重を含む。
【００３８】
また、蓄電池再生事業者側端末３から、再生単電池履歴及び特性情報、再生単電池入出庫情報を入力する。このとき、再生単電池履歴及び特性情報は、再生単電池ＩＤコード、再生年月日、型式、定格容量、浮動電圧、端子電圧、起電力、内部抵抗、残存容量及び比重を含む。
【００３９】
そして、管理サーバー４は、蓄電池使用者側端末２から送信された情報を、使用者ＩＤコード別に組電池を構成する全ての単電池の履歴及び特性情報、前記単電池の点検記録データを記憶し、蓄電池再生事業者側端末３から送信された情報を、再生単電池ＩＤコード別に、再生単電池履歴及び特性情報、再生単電池入出庫情報を記憶し、蓄電池使用者と蓄電池再生事業者とが話し合って特性ごとに設定した近似範囲を記憶する。
【００４０】
次に、更新ステップ１１である。蓄電池使用者側端末２から、定期点検を実施して、使用者ＩＤコード、単電池ＩＤコード、点検年月日、事業所名、製造年月日、製造メーカー、型式、定格容量、浮動電圧、端子電圧、起電力、内部抵抗、残存容量及び比重を含んだ点検記録データが入力されたら、管理サーバー４に記憶され、過去の点検記録データとともに記憶される。
【００４１】
次に、特性値変化把握ステップ１２である。管理サーバー４は、点検記録データから単電池又は組電池の特性値変化状況について、特性値の変化量を時間で除して特性値変化速度を算出し、該特性値の変化を時間軸で表した表やグラフを作成する。単電池の特性や使用環境によって交換すべき特性の基準値が異なるので、単電池別に該表やグラフに交換基準値を設定しておくとよい。
【００４２】
蓄電池使用者又は蓄電池再生事業者は、管理サーバー４にアクセスして、単電池又は組電池の特性値変化状況を特性値変化速度や該特性値の変化を時間軸で表した表やグラフを自らの端末に呼び込んで閲覧して、個々の単電池の特性変化状況から期待寿命期を予測できる。蓄電池使用者及び蓄電池再生事業者が使用中の単電池の特性変化を監視し続けているので、交換基準に達した単電池はもれなくタイミングよく交換される。
【００４３】
次に、検索・注文ステップ１３である。蓄電池使用者は、ある単電池が期待寿命期になったので交換することを決定したら、蓄電池使用者側端末２から、管理サーバー４に、使用者ＩＤコード、並びに、少なくとも、交換する単電池の型式及び定格容量、使用中の単電池群の浮動電圧、端子電圧、起電力、内部抵抗及び残存容量のうちから５つ以上の特性を含む在庫照会情報を送信する。管理サーバー４は、在庫照会情報を受信したら該情報を記憶する。
【００４４】
次に、管理サーバー４は、記憶されている在庫照会情報と設定された近似範囲内の特性を有する再生単電池を、再生単電池履歴及び特性情報の中から検索し、該当する再生単電池を選出して、再生単電池ＩＤコードを含む再生単電池履歴及び特性情報の一覧表を作成し記憶する。
【００４５】
次に、蓄電池使用者側端末２の画面上で前記一覧表を蓄電池使用者が閲覧して、購入したいと判断し選択した再生単電池の再生単電池ＩＤコードを蓄電池使用者側端末２から蓄電池再生事業者側端末３に対して送信し注文をする。
【００４６】
次に、出庫ステップである。蓄電池再生事業者が再生単電池を出庫したら、蓄電池再生事業者側端末３から出庫完了の入力がされ、管理サーバー４の再生単電池在庫情報が更新される。そして、蓄電池使用者が再生単電池を組電池に投入完了したら、蓄電池使用者側端末２から投入した単電池履歴及び特性情報が入力され、それによって管理サーバー４の使用者側単電池履歴及び特性情報を更新される。また、蓄電池使用者側端末２又は蓄電池再生事業者側端末３からの単電池の更新された情報が入力されるたびに、管理サーバー４の使用者側の単電池歴及び特性情報、蓄電池再生事業者側の再生単電池在庫情報や再生単電池履歴及び特性情報が更新される。
【符号の説明】
【００４７】
１      蓄電池管理システム
２      使用者側端末
３      再生事業者側端末
４      管理サーバー
５      ネットワーク
１０    準備ステップ
１１    更新ステップ
１２    性能変化把握ステップ
１３    注文・検索ステップ
１４    出庫ステップ
【図１】
2015007854.tif 000003
【図２】
2015007854.tif 000004